(57)【要約】【課題】住戸人が玄関まで行かなくても玄関扉の錠が施錠されているか解錠されているかを知ることができるようにする。【解決手段】住戸機４のセンサ入力部４９には、住戸機４とともに本発明に係る監視装置を構成する検知部７が信号線を介して接続される。検知部７は、施錠状態を示す施錠信号と解錠状態を示す解錠信号を信号線に出力する。玄関扉の錠の施錠／解錠を検知部７で検知し、住戸内に設置される本体（住戸機４）で玄関扉の錠が解錠されたことを報知音で報知する。よって、住戸人が玄関まで行かなくても玄関扉の錠が施錠されているか解錠されているかを知ることができる。【選択図】        図１
2006219957.tif 000002
【特許請求の範囲】
【請求項１】
住戸内に設置される本体と、住戸の玄関扉に設けられている錠の施錠／解錠を検知して検知出力を本体に送信する検知部とで構成され、前記本体は、検知部の検知出力を受信する受信手段と、受信手段で受信する検知出力に応じて玄関扉の錠が解錠されたときに住戸人にその旨を通知する通知手段とを備えたことを特徴とする監視装置。
【請求項２】
前記通知手段は、玄関扉の錠が解錠された旨を通知する通知モードと、玄関扉の錠が解錠された旨を通知しない非通知モードとに択一的に切換可能であり、操作された際に前記通知手段に対して通知モードと非通知モードの切換を指示する切換指示手段を前記本体に備え、前記通知手段は、該切換指示手段が非通知モードから通知モードへの切換を指示した時点から所定の遅延時間が経過した後に通知モードに切り換えることを特徴とする請求項１記載の監視装置。
【発明の詳細な説明】
【技術分野】
【０００１】
本発明は、住戸の玄関扉に設けられている錠の施錠／解錠を監視する監視装置に関するものである。
【背景技術】
【０００２】
従来、住戸の防犯及び防災を管理するものとして、玄関に設置されるドアホン子器との間で通話する通話機能と、住戸に設置された各種セキュリティセンサ（火災感知器やガス漏れ感知器など）のセンサ出力を監視して火災やガス漏れなどの異常発生時に警報を発したり、あるいは、玄関扉の開閉を検知する検知スイッチの検知出力に基づき玄関扉が開いたときに警報を発する監視機能とを有した住宅情報盤が提供されている（特許文献１参照）。
【特許文献１】特開２０００−２１５３７０号公報
【発明の開示】
【発明が解決しようとする課題】
【０００３】
しかしながら、上記従来例では玄関扉の錠が施錠されているか、あるいは解錠されているかということを住宅情報盤で知ることができず、住戸人が玄関まで行って確認する必要があった。
【０００４】
本発明は上記事情に鑑みて為されたものであり、その目的は、住戸人が玄関まで行かなくても玄関扉の錠が施錠されているか解錠されているかを知ることができる監視装置を提供することにある。
【課題を解決するための手段】
【０００５】
請求項１の発明は、上記目的を達成するために、住戸内に設置される本体と、住戸の玄関扉に設けられている錠の施錠／解錠を検知して検知出力を本体に送信する検知部とで構成され、前記本体は、検知部の検知出力を受信する受信手段と、受信手段で受信する検知出力に応じて玄関扉の錠が解錠されたときに住戸人にその旨を通知する通知手段とを備えたことを特徴とする。
【０００６】
請求項２の発明は、請求項１の発明において、前記通知手段は、玄関扉の錠が解錠された旨を通知する通知モードと、玄関扉の錠が解錠された旨を通知しない非通知モードとに択一的に切換可能であり、操作された際に前記通知手段に対して通知モードと非通知モードの切換を指示する切換指示手段を前記本体に備え、前記通知手段は、該切換指示手段が非通知モードから通知モードへの切換を指示した時点から所定の遅延時間が経過した後に通知モードに切り換えることを特徴とする。
【発明の効果】
【０００７】
請求項１の発明によれば、玄関扉の錠の施錠／解錠を検知部で検知し、住戸内に設置される本体の通知手段で玄関扉の錠が解錠されたことを通知するから、住戸人が玄関まで行かなくても玄関扉の錠が施錠されているか解錠されているかを知ることができる。
【０００８】
請求項２の発明によれば、請求項１の発明の効果に加えて、住戸人が外出のために切換指示手段を操作して非通知モードから通知モードに切り換えた場合、錠を解錠して外に出た後に再び施錠するまでの間は通知手段が非通知モードに維持されるため、不要な通知が行われることを防ぐことができる。
【発明を実施するための最良の形態】
【０００９】
以下、集合住宅の共用玄関に設置される共用部装置（ロビーインターホン２）との通話機能と、住戸内に設置される種々のセキュリティセンサで検知した異常発生を報知するセキュリティ機能とを有した住戸機（住宅情報盤）４に、本発明の技術思想を適用した実施形態について詳細に説明する。
【００１０】
本実施形態における集合住宅用インターホンシステム（住宅情報盤システム）のシステム構成例を図２に示す。本実施形態では、集合住宅の共用玄関に設置される共用部装置（ロビーインターホン）２と、監視装置の本体に相当し、各住戸にそれぞれ設置される複数台（図示は１台のみ）の住戸機４とを備え、ロビーインターホン２と住戸機４とがそれぞれ伝送線路を介して接続されている。伝送線路は、ロビーインターホン２に接続される幹線Ｌ１と、各住戸機４にそれぞれ接続される住戸別線Ｌ２とを含み、さらに集合住宅の管理人室に設置された警報監視盤１が幹線Ｌ１に接続される。この伝送線路としては、３対以上のペア線をシース内に備える多対ツイストペアケーブルを用いており、図示は省略するがロビーインターホン２と住戸機４との間で音声信号を伝送する通話線Ｌａと、ロビーインターホン２が具備するカメラ２６で撮像された映像信号を伝送する映像線Ｌｂと、ロビーインターホン２が有する選択手段（後述する）により選択された住戸機４を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン２において周波数変調され、後述するように各住戸機４に設けた映像処理部４３で周波数復調されてモニタ部４５に表示される。
【００１１】
図３に示すようにロビーインターホン２は、音声を入出力するマイクロホン２４ａ及びスピーカ２４ｂと、通話線Ｌａを介して住戸機４から伝送される音声信号を信号処理してスピーカ２４ｂに出力するとともにマイクロホン２４ａから入力する音声信号を信号処理して通話線Ｌａに送出することでハンズフリー通話を実現する通話処理部２５と、来訪者を撮像するカメラ２６と、カメラ２６が出力する映像信号を周波数変調して映像線Ｌｂを介して伝送する映像処理部２７と、住戸番号を指定するための番号キーや呼出釦を有する操作スイッチ部２２と、操作スイッチ部２２で指定された住戸番号等を表示する表示部２３と、操作スイッチ部２２の操作を報知するための報知音や後述する報知メッセージを生成してスピーカ２４ｂへ出力する報知音生成部２９と、ＣＰＵを主構成要素とし上記各部の動作を制御する制御部２０と、制御部２０と制御線Ｌｃのインタフェースを行う伝送送受信部２１と、マイクロホン２４ａから出力する音声信号を増幅する増幅器Ａ１と、スピーカ２４ｂへ出力する音声信号を増幅する増幅器Ａ２とを備えている。つまり、来訪者が選択手段である操作スイッチ部２２の番号キーを操作して訪問先の住戸番号を選択した後に呼出釦を操作すると住戸番号に対応する住戸機２を選択したことになる。ここで、ロビーインターホン２には通話線Ｌａ及び制御線Ｌｃを介して警報監視盤１が接続されており、ロビーインターホン２で選択された住戸番号が制御線Ｌｃを介して警報監視盤１に伝送されると、警報監視盤１が当該住戸番号に対応する住戸機４に対して呼出元のロビーインターホン２に割り当てられている固有のアドレスを付加した制御信号（呼出コマンド）を制御線Ｌｃを介して送出する。
【００１２】
一方、住戸機４は、図１に示すように音声を入出力するマイクロホン４１ａ及びスピーカ４１ｂを備え、マイクロホン４１ａとスピーカ４１ｂとはそれぞれ通話処理部４２に接続されている。また、通話処理部４２には受話側並びに送話側の各伝送経路と２線の通話線Ｌａとを２線４線変換する２線４線変換部（図示せず）が接続されている。通話処理部４２は、通話線Ｌａを介して伝送されてくる音声信号（受話信号）とマイクロホン４１ａから出力される音声信号（送話信号）のレベルを比較することで通話状態（受話状態又は送話状態）を推定し、受話状態と推定したときには送話信号の伝送経路に損失を挿入し、送話状態と推定したときには受話信号の伝送経路に損失を挿入することで受話モードと送話モードを切り換える音声スイッチや、マイクロホン４１ａとスピーカ４１ｂの音響結合によって生じる音響エコーを消去するためのエコーキャンセラなどを具備する。但し、このような音声スイッチやエコーキャンセラは従来周知であるから詳細な構成及び動作の図示並びに説明は省略する。したがって、ロビーインターホン２と住戸機４との間で通話線Ｌａを通して音声信号を授受することができ、来訪者がロビーインターホン２を用いるとともに居住者が住戸機４を用いることによって、来訪者と居住者との間で音声通話が可能となる。
【００１３】
また住戸機４には、住戸別線Ｌ２の通話線Ｌａと映像線Ｌｂをそれぞれ通話信号（受話信号及び送話信号）の伝送経路（以下、「通話路」と呼ぶ。）と映像信号の伝送経路に分離する幹線インタフェース（図示せず）が設けられている。映像信号の伝送経路は映像処理部４３に接続され、通話路は通話処理部４２と子器インタフェース部４４とに択一的に切換接続される。子器インタフェース部４４には子器接続線Ｌ３を介してドアホン子器３が接続される。ドアホン子器３は集合住宅の各住戸の玄関先に配置されるものであってマイクロホン及びスピーカを備え、子器インタフェース部４４はドアホン子器３との通話のための音声双方向増幅回路や通話路を接続するための開閉路回路などを備える。したがって、通話路が子器インタフェース部４４に接続されている状態ではドアホン子器３と住戸機４との間での通話が可能になっている。また、ドアホン子器３にはテレビカメラが設けられ、子器インタフェース部４４では子器接続線Ｌ３を介して伝送される音声信号と映像信号を分離し、分離した映像信号を映像処理部４３に出力してモニタ部４５に表示することができるようになっている。さらにドアホン子器３には呼出釦が設けられ、呼出釦が操作されたときに子器接続線Ｌ３に呼出信号を送出する機能を有し、住戸機４では呼出信号を検出したときに報知音生成部４６で生成された呼出音がスピーカ４１ｂから送出されるようになっている。
【００１４】
住戸機４において、モニタ部４５には液晶表示器が用いられる。映像線Ｌｂを通して住戸機４に入力される映像信号は、幹線インタフェースで平衡−不平衡変換され、さらに増幅器で増幅された後に映像処理部４３において周波数復調される。また、子器接続線Ｌ３を通して住戸機４に入力される映像信号も、子器インタフェース部４４で平衡−不平衡変換され、さらに増幅器で増幅された後に映像処理部４３において周波数復調される。そして、映像処理部４３から出力された映像信号は、モニタ部４５に入力されることによってモニタ部４５の画面に映像を表示する。つまり、ロビーインターホン２やドアホン子器３のカメラにおいて撮像された来訪者の映像が住戸機４のモニタ部４５に表示されるから、住戸内の居住者が来訪者を確認することができるのである。また報知音生成部４６は、ロビーインターホン２やドアホン子器３からの呼出等を報知するための報知音を生成し、生成した報知音をスピーカ４１ｂに出力するとともに当該報知音をバックトーンとして住戸別線Ｌ２又は子器接続線Ｌ３にも出力する。
【００１５】
住戸機４には、ＣＰＵを主構成要素とし内部回路を制御する制御部４０が設けられ、制御部４０には制御線Ｌｃとのインタフェースとなる伝送送受信部４７が接続される。伝送送受信部４７は、制御部４０から出力された制御信号を制御線Ｌｃに送出し、制御線Ｌｃから受信した制御信号を制御部４０に引き渡す機能を有する。また住戸機４には、呼出に応答する際に操作される応答釦４８ｂ等を含む操作スイッチ部４８ａと、操作スイッチ部４８ａの操作に応じた操作入力を制御部４０に入力するスイッチ入力部４８ｂとが設けられる。さらに住戸機４には、住戸内に設置される種々のセキュリティセンサ（火災感知器やガス漏れ感知器など）Ｓと制御部４０とのインタフェースとなるセンサ入力部４９が設けられている。つまり、住戸機４においては、セキュリティセンサＳから火災やガス漏れ等の異常発生を知らせるセンサ信号がセンサ入力部４９を通じて制御部４０に入力されると、制御部４０が報知音生成部４６に対して異常発生を報知するための警報音や警報メッセージを生成させてスピーカ４１ｂから送出させるとともに、伝送送受信部４７から制御線Ｌｃを介して警報監視盤１に異常発生を報知するための制御信号を送信させ、警報監視盤１においても異常発生の警報を行うように構成されている。すなわち、本実施形態の住戸機４は、通話機能とセキュリティ機能を有した住宅情報盤として構成されている。
【００１６】
ところで、住戸別線Ｌ２は幹線Ｌ１から分岐されているため、ロビーインターホン２から警報監視盤１を介して送出された制御信号は制御線Ｌｃに接続されるすべての住戸機４に伝送される。ここに、住戸機４の制御部４０には個別にアドレス（たとえば、住戸番号）が設定されており、ロビーインターホン２において住戸機４のアドレスを選択することによって、住戸機４のアドレスを指定する制御信号（呼出コマンド）が警報監視盤１から制御線Ｌｃを介して全ての住戸機４に伝送することが可能になっている。住戸機４の制御部４０は、制御信号に含まれるアドレスが自己のアドレスであれば映像処理部４３やモニタ部４５を起動してロビーインターホン２のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の操作スイッチ部４８ａに設けられている応答釦４８ｂ（図２参照）を押操作すれば、制御部４０が通話線Ｌａに接続された通話路を通話処理部４２に接続してロビーインターホン２との間に通信路を確立することにより、ロビーインターホン２と選択された住戸機４との間でのみ通話可能にすることができるとともに、選択された住戸機４でのみカメラで撮像された来訪者をモニタ部４５に表示することが可能になる。尚、ロビーインターホン２において選択された住戸機４がロビーインターホン２との間で通信路を確立している状態は、ロビーインターホン２または住戸機４において適宜の操作釦を用いた通話終了が検出されると終了する。
【００１７】
また、ドアホン子器３の呼出釦が押操作されて子器接続線Ｌ３に呼出信号が送出されると、呼出信号を検出した住戸機４の制御部４０が映像処理部４３やモニタ部４５を起動してドアホン子器３のカメラにおいて撮像された来訪者の映像を住戸機４のモニタ部４５に表示させるとともに、報知音生成部４６に生成させた報知音（呼出音）をスピーカ４１ｂから送出させる。そして、呼出音に応じて居住者が住戸機４の応答釦４８ｂを押操作すれば、制御部４０が通話路を子器インタフェース部１８に接続する状態に切り換えてドアホン子器３との間に通信路を確立することにより、ドアホン子器３と住戸機４との間で通話可能にすることができるとともカメラで撮像された来訪者をモニタ部４５に表示することが可能になる。
【００１８】
警報監視盤１は集合住宅の管理人室に設置されるものであって、図４に示すようにハンドセット（図示せず）を用いて通話するための通話部１４と、住戸機４の住戸番号を入力するための番号キー等を有する操作部１２と、住戸機４における異常発生を報知するための警報音や警報メッセージを生成してスピーカ（図示せず）から送出する警報音生成部１５と、操作部１２で指定された住戸番号等を表示する表示部１３と、ＣＰＵを主構成要素とし上記各部の動作を制御する制御部１０と、制御部１０と制御線Ｌｃのインタフェースを行う伝送送受信部１１とが設けられ、通話線Ｌａを介して各住戸機４との間で通話並びに一斉放送を行う機能や、制御線Ｌｃを介して住戸機４から伝送される異常発生を報知するための制御信号を受信して警報を発する機能等を有している。例えば、管理人が操作部１２を操作して住戸番号を入力した後に通話部１４のハンドセットをオフフックすると、入力された住戸番号に対応する住戸機４に対して制御部１０が制御信号（呼出コマンド）を生成し、伝送送受信部１１から制御線Ｌｃに送出させ、上述したロビーインターホン２と住戸機４との通話時と同様に、選択された住戸機４と警報監視盤１との間でのみ通話線Ｌａを介した通話が可能となる。尚、一斉放送とは、警報監視盤１から複数台（全て若しくは一部）の住戸機４に対して音声信号を伝送することであって、各住戸への緊急性を有しない連絡や避難誘導などの緊急連絡を目的に行われる。例えば、警報監視盤１から全ての住戸機４に対して一斉放送を行う場合、警報監視盤１から一斉放送の開始を指示する制御信号（一斉放送開始コマンド）が制御線Ｌｃを介して各住戸機４に送信され、この制御信号を受信した各住戸機４では、一斉放送開始コマンドを応じて制御部４０が通話線Ｌａに接続された通話路を通話処理部４２に接続することで警報監視盤１との間に通信路が確立され、警報監視盤１から送出される一斉放送の音声信号が通話線Ｌａを介して各住戸機４に伝送され、スピーカ４１ｂから一斉放送の音声が送出される。
【００１９】
ところで住戸機４のセンサ入力部４９には、住戸機４とともに本発明に係る監視装置を構成する検知部７が信号線を介して接続される。検知部７は、玄関扉の錠（錠前）の施錠／解錠を検知するものであって、錠の受座（ストライク）を取り付けるための箱受（ストライクボックス）内に収納されたマイクロスイッチからなり、受座に設けられた受穴にデッドボルトが入り込んだ状態（施錠状態）と受穴からデッドボルトが退出している状態（解錠状態）の２つの状態を検知し、それぞれの状態に対応した検知信号、すなわち、施錠状態を示す施錠信号と解錠状態を示す解錠信号を信号線に出力する。
【００２０】
検知部７から出力される検知信号（施錠信号及び解錠信号）が信号線を介してセンサ入力部４９に入力され、センサ入力部４９から制御部４０に対して施錠又は解錠の検知結果が引き渡される。制御部４０では、センサ入力部４９から得られる検知結果が施錠状態から解錠状態に変化したとき、すなわち、玄関扉の錠が解錠されたときに報知音生成部４６で生成した報知音をスピーカ４１ｂから送出させることで住戸人に通知する。このとき、同時にモニタ部４５の画面に解錠されたことを示すメッセージ等を表示するようにしても構わない。つまり、本実施形態では制御部４０と報知音生成部４６とスピーカ４１ｂが通知手段に相当する。
【００２１】
このように本実施形態では、玄関扉の錠の施錠／解錠を検知部７で検知し、住戸内に設置される本体（住戸機４）で玄関扉の錠が解錠されたことを報知音で報知するから、住戸人が玄関まで行かなくても玄関扉の錠が施錠されているか解錠されているかを知ることができる。ここで、住戸機４の制御部４０では、玄関扉の錠が解錠されたとき（検知部７から解錠信号が出力されたとき）にスピーカ４１ｂから報知音を送出させる通知モード、並びに報知音を送出させない非通知モードの２つのモードが操作スイッチ部４８ａの操作によって択一的に選択可能となっている。但し、操作スイッチ部４８ａにおいて非通知モードから通知モードへの切換操作が行われた場合、制御部４０は直ちに非通知モードから通知モードに切り換えるのではなく、当該切換操作に対応した信号がスイッチ入力部４８ｂより入力された時点から所定の遅延時間（例えば、数十秒〜数分）が経過するまでは通知モードへの切換を行わずに遅延時間が経過した時点で非通知モードから通知モードに切り換えている。つまり、本実施形態では操作スイッチ部４８ａ及びスイッチ入力部４８ｂが切換指示手段に相当する。而して、住戸人が外出のために操作スイッチ部４８ａを操作して非通知モードから通知モードに切り換えた場合、錠を解錠して外に出た後に再び施錠するまでの間は制御部４０が非通知モードに維持されるため、不要な通知が行われることを防ぐことができる。
【図面の簡単な説明】
【００２２】
【図１】本発明に係る監視装置（住戸機及び検知部）の実施形態を示すブロック図である。
【図２】同上を用いた集合住宅用インターホンシステムのシステム構成図である。
【図３】同上におけるロビーインターホン（共用部装置）のブロック図である。
【図４】同上における警報監視盤のブロック図である。
【符号の説明】
【００２３】
４  住戸機
７  検知部
４０  制御部
４１ｂ  スピーカ
４６  報知音生成部
４９  センサ入力部
【図１】
2006219957.tif 000003
【図２】
2006219957.tif 000004
【図３】
2006219957.tif 000005
【図４】
2006219957.tif 000006